(57)【要約】【課題】光ディスクレコーダにおいて、互いに反射レベルが近似する光ディスクの種類を正確かつ迅速に判別する。【解決手段】光ディスクレコーダは、光ディスクの複数個所で反射レベルを算出し、そのばらつきが第１の閾値より小さいとき(＃１１において小)、反射レベルの大きさに応じてＤＶＤ-Ｒ(未記録)であるか、ＤＶＤ−ＲＷ(未記録)であるかを判定する(＃１２)。反射レベルのばらつきが第２の閾値より大きいとき(＃１１において大)、反射レベルの大きさに応じてＤＶＤ−ＲＯＭ(単層)であるか、ＤＶＤ−ＲＯＭ(２層)であるかを判定する（＃１８）。反射レベルのばらつきが第１の閾値以上で第２の閾値以下であるとき(＃１１において中)、反射レベルの大きさに応じてＤＶＤ−Ｒ(既記録)であるか、ＤＶＤ−ＲＷ(既記録)であるかを判定する（＃１５）。【選択図】図５
2005302083.tif 000002
【特許請求の範囲】
【請求項１】
複数種類の光ディスク記録メディアに対応する光ディスクレコーダにおいて、
装填された光ディスクの記録面にレーザ光を発光強度を変えながら複数回照射し、その反射光を受光して、反射レベルのばらつき、反射レベルの大きさ、及びレーザ光の発光強度に対する反射レベルの変化の傾向から装填された光ディスクの種類及び既記録ディスクであるか又は未記録ディスクであるかを光ディスクの回転数を制御することなく判別可能としたことを特徴とする光ディスクレコーダ。
【請求項２】
複数種類の光ディスク記録メディアに対応する光ディスクレコーダにおいて、
装填された光ディスクの記録面にレーザ光を照射し、その反射光を受光して、反射レベルのばらつき、及び反射レベルの大きさから装填された光ディスクの種類及び既記録ディスクであるか又は未記録ディスクであるかを判別可能としたことを特徴とする光ディスクレコーダ。
【請求項３】
複数種類の光ディスク記録メディアに対応する光ディスクレコーダにおいて、
装填された光ディスクの記録面にレーザ光を発光強度を変えながら複数回照射し、その反射光を受光して反射レベルのばらつきから、記録可能な光ディスクにデータが記録されているか否かを、サーボ信号を調整する前に判別し、
サーボ信号の調整目標値を、既記録領域又は未記録領域のいずれの領域においても、エラー信号が飽和しないレベルに変更可能としたことを特徴とする光ディスクレコーダ。
【請求項４】
複数種類の光ディスク記録メディアに対応する光ディスクレコーダにおいて、
装填された光ディスクの記録面にレーザ光を発光強度を変えながら複数回照射し、その反射光を受光して反射レベルのばらつきから、記録可能な光ディスクにデータが記録されているか否かを、ＲＦ信号を用いることなく判別することを特徴とする光ディスクレコーダ。
【発明の詳細な説明】
【技術分野】
【０００１】
本発明は、光ディスクの種類を判別する機能を有する光ディスクレコーダに関するものである。
【背景技術】
【０００２】
従来から、ＤＶＤ（Digital Versatile Disc)等の光ディスクにテレビジョン放送信号を記録する光ディスクレコーダが実用化されている。例えばＤＶＤには、データの読み出しのみ可能なＤＶＤ−ＲＯＭ（Pre-Mastered Disc又はStamp Disc）の他、１度だけデータの書き込みが可能なＤＶＤ−Ｒ（Recordable）や、データの書き換えが可能なＤＶＤ−ＲＷ（Rewritable）等の複数の種類が存在する。このような光ディスクは、ディスクの種類毎にレーザ光に対する反射レベルが大きく異なるので、光ディスクレコーダでは、光ディスクが装填されると、まずその種類を判別し、その種類に最適な出力のレーザ光を照射してデータの書き込み又は読み出しを行うように構成されている。
【０００３】
従来の光ディスクレコーダでは、サーボ信号調整後にウォブル信号やレーザ光の反射レベルに基いてディスク種類の判別を行い、その後、光ディスクに記録されているコントロールデータを読むことでディスク種類を論理的に確定している。
【０００４】
また、このような従来の光ディスクレコーダとは別に、光ピックアップによって検出される信号のレベル（プルインレベル）、又はフォーカスエラー信号のピークレベルに基いて光ディスクの種類を判別する光ディスク装置が知られている（例えば、特許文献１参照）。また、読み出し専用の光ディスクの反射レベルを基準として、装填された光ディスクの反射レベルを比較して、光ディスクの種類等を判別する光ディスク装置が知られている（例えば、特許文献２参照）。
【特許文献１】特開２００３−２１７１３７号公報
【特許文献２】特開２００１−１０１６５８号公報
【発明の開示】
【発明が解決しようとする課題】
【０００５】
しかしながら、例えば、ＤＶＤ―Ｒ及びＤＶＤ−ＲＷの場合、光ディスクの種類等の判別コード等を含むコントロールデータはアルミニウムのエンボスによって形成されているので、この領域ではＤＶＤ―ＲＯＭ（単層）と同等の反射率を有している。従って、上述した従来の光ディスクレコーダにあっては、コントロールデータを読み出す前に記録済み領域でサーボ信号を調整してしまうと、反射率の落差から例えばトラッキングエラー信号が飽和し、結果としてコントロールデータが読めない、という不具合が発生することがある。このような場合、サーボ信号を再調整する必要があり、ディスク種類を確定するまでに時間を要する結果となってしまう。
【０００６】
また、上記特許文献１又は特許文献２に示される光ディスク装置にあっては、反射レベルのみによって光ディスクの種類を判別するので、互いに反射レベルが近似する光ディスクの種類及び記録状態を正確に判別することが困難となる。
【０００７】
本発明は、上記課題を解決するためになされたものであり、互いに反射レベルが近似する光ディスクの種類を正確かつ迅速に判別することができる光ディスクレコーダを提供することを目的とする。
【課題を解決するための手段】
【０００８】
上記目的を達成するために請求項１の発明は、複数種類の光ディスク記録メディアに対応する光ディスクレコーダにおいて、装填された光ディスクの記録面にレーザ光を発光強度を変えながら複数回照射し、その反射光を受光して、反射レベルのばらつき、反射レベルの大きさ、及びレーザ光の発光強度の変化に対する反射レベルの変化の傾向から装填された光ディスクの種類及び既記録ディスクであるか又は未記録ディスクであるかを光ディスクの回転数を制御することなく判別可能としたものである。
【０００９】
請求項２の発明は、複数種類の光ディスク記録メディアに対応する光ディスクレコーダにおいて、装填された光ディスクの記録面にレーザ光を照射し、その反射光を受光して、反射レベルのばらつき、及び反射レベルの大きさから装填された光ディスクの種類及び既記録ディスクであるか又は未記録ディスクであるかを判別可能としたものである。
【００１０】
請求項３の発明は、複数種類の光ディスク記録メディアに対応する光ディスクレコーダにおいて、装填された光ディスクの記録面にレーザ光を発光強度を変えながら複数回照射し、その反射光を受光して反射レベルのばらつきから、記録可能な光ディスクにデータが記録されているか否かを、サーボ信号を調整する前に判別し、サーボ信号の調整目標値を、既記録領域又は未記録領域のいずれの領域においても、エラー信号が飽和しないレベルに変更可能としたものである。
【００１１】
請求項４の発明は、複数種類の光ディスク記録メディアに対応する光ディスクレコーダにおいて、装填された光ディスクの記録面にレーザ光を発光強度を変えながら複数回照射し、その反射光を受光して反射レベルのばらつきから、記録可能な光ディスクにデータが記録されているか否かを、ＲＦ信号を用いることなく判別するものである。
【発明の効果】
【００１２】
請求項１の発明によれば、光ディスクの記録面における反射レベルのばらつき、反射レベルの大きさ、及びレーザ光の発光強度の変化に対する反射レベルの変化の傾向から光ディスクの種類及び既記録ディスクであるか又は未記録ディスクであるかを判別するので、互いに反射レベルが近似する光ディスクであってもその種類等を正確に判別することができる。また、ウォブル信号等を検出するために光ディスクの回転数を制御する必要がないので、光ディスクの種類等を迅速に判別することができ、ユーザが光ディスクを装填した後、録再生動作が可能になるまでの待ち時間を短縮することができる。
【００１３】
請求項２の発明によれば、光ディスクの記録面における反射レベルのばらつき、及び反射レベルの大きさから光ディスクの種類及び既記録ディスクであるか又は未記録ディスクであるかを判別するので、光ディスクの種類等を迅速かつ正確に判別することができる。
【００１４】
請求項３の発明によれば、光ディスクの記録面における反射レベルのばらつきから、例えば、装填された光ディスクが記録済みのＤＶＤ−Ｒ又はＤＶＤ−ＲＷであることをサーボ信号を調整する前に判別するので、サーボ信号の調整目標値をエラー信号が飽和しないレベルに変更することができる。これにより、コントロールデータ等の取得に失敗する確率を大幅に低下させることができ、光ディスクの判別結果が確定するまでの時間を短縮することができる。
【００１５】
請求項４の発明によれば、光ディスクの記録面における反射レベルのばらつきから、例えば、装填された光ディスクが記録済みのＤＶＤ−Ｒ又はＤＶＤ−ＲＷであることを、ＲＦ信号を用いることなく判別するので、光ディスクの判別に必要な時間を短縮することができる。
【発明を実施するための最良の形態】
【００１６】
本発明を実施するための最良の実施形態による光ディスクレコーダについて図面を参照して説明する。図１は光ディスクレコーダの一例として、ＤＶＤ（Digital Versatile Disk)にテレビジョン放送信号を記録するＤＶＤレコーダの構成を示している。光ディスクレコーダは、レコーダ全体としての処理を行うバックエンド１と、光ディスクにデータの書き込み又は読み出しを行うためのフロントエンド２とを有している。
【００１７】
バックエンド１は、アンテナ３０を介してテレビジョン放送信号を受信するチューナ３と、チューナ３が受信した放送信号をＭＰＥＧ（Moving Picture Experts Group）規格に準拠する信号に圧縮符号化するＭＰＥＧエンコーダ５と、ＭＰＥＧエンコーダ５によって圧縮符号化された信号を一時的に蓄積するバッファ６と、バッファ６に蓄積された信号を複合するＭＰＥＧデコーダ７と、ＭＰＥＧデコーダ７によって複合された信号をモニタ装置２０が出力可能なアナログ信号に変換するＤ／Ａコンバータ８と、バックエンド１の各部の制御を司る制御部９と、光ディスクレコーダに各種の指令を入力するためのリモコン装置（図示せず）と、タイマ録画のための処理を行うタイマ部（図示せず）等によって構成されている。チューナ３は、デジタル放送に対応するものであってもアナログ放送に対応するものであってもよい。チューナ３がアナログ放送に対応するものである場合には、チューナ３が受信したアナログ信号をデジタル信号に変換するためのＡ／Ｄコンバータが別途必要になる。
【００１８】
一方、フロントエンド２は、バッファ６との間で信号を受け渡しするバッファ１１と、バッファ１１に蓄積された信号（８ビット信号）を光ディスクへの書き込みに適した１４ビット信号に変調するＥＦＭ（Eight Fourteen Modulation）モジュレータ１２と、光ディスクを回転駆動するためのスピンドルモータ１３と、スピンドルモータ１３によって回転駆動されている光ディスクにレーザ光を照射することにより、信号の書き込み又は読み出しを行う光ピックアップ１４と、光ピックアップ１４が読み出した１４ビット信号を８ビット信号に変調するＥＦＭデモジュレータ１５と、制御部９から出力される制御信号を受け、フロントエンド２の各部の制御を司る制御部１６等によって構成されている。
【００１９】
バックエンド１の制御部９とフロントエンド２の制御部１６とは、互いに各種の制御信号を送受信可能となるように接続されており、バックエンド１のバッファ６とフロントエンド２のバッファ１１とは、互いにＭＰＥＧエンコード信号を送受信可能となるように接続されている。
【００２０】
図２は、光ピックアップ１４によって６種類の光ディスク(（１）ＤＶＤ−ＲＯＭ(２層)、（２）ＤＶＤ−ＲＯＭ(単層)、（３）ＤＶＤ-ＲＷ(未記録)、（４）ＤＶＤ−ＲＷ(既記録)、（５）ＤＶＤ−Ｒ(未記録)、（６）ＤＶＤ−Ｒ(既記録))にレーザ光を発光パワー（リードパワー）を６段階に変えながら複数回照射したときの、光ピックアップ１４の発光素子の発光パワーと、その反射レベルの関係を示している。反射レベルは、光ピックアップ１４の受光素子の出力電圧を発光パワーによって正規化したものを示している。
【００２１】
また、図３は、上記６種類のディスクについて、各段階の発光パワー毎に算出した反射レベルの標準偏差の平均値と、反射レベルのばらつき評価を示している。図２及び図３によれば、６種類のディスクのうち、（３）ＤＶＤ-ＲＷ(未記録)及び（５）ＤＶＤ−Ｒ(未記録)については、記録面にピットが形成されていないので、反射レベルのばらつきが小さく、さらに（５）ＤＶＤ-Ｒ(未記録)は、特に発光パワーの小さい領域において、他のディスクと比較して反射レベルが飛び抜けて大きいことが判る。また、（２）ＤＶＤ−ＲＯＭ(単層)は、他のディスクと比較して反射レベルのばらつきが極めて大きいことが判る。さらに、（１）ＤＶＤ−ＲＯＭ(２層)、（２）ＤＶＤ−ＲＯＭ(単層)、（３）ＤＶＤ-ＲＷ(未記録)及び（４）ＤＶＤ−ＲＷ(既記録)は、発光パワーを大きくすると反射レベルも増加する（特に、（２）ＤＶＤ−ＲＯＭ(単層)は発光パワーの増加に対して反射レベルが著しく増加する）傾向を有し、（５）ＤＶＤ−Ｒ(未記録)は、発光パワーに依存することなく略一定の反射レベルを有し、（６）ＤＶＤ−Ｒ(既記録)は、発光パワーを大きくすると、反射レベルが低下する傾向を有していることが判る。
【００２２】
本実施形態の光ディスクレコーダでは、上述した各光ディスクの種類毎の特徴に着目して、反射レベルのばらつき及び大きさを所定の閾値と比較することにより、装填された光ディスクの種類、及び記録状態を判別するようにしている。
【００２３】
本実施形態の光ディスクレコーダによる光ディスクの種類の判別動作について、図４を参照して説明する。光ディスクが装填されると（＃１）、光ディスクレコーダは、光ディスクのチャッキングを行う（＃２）。そして、光ディスクレコーダは、スピンドルモータ１３を回転させて光ディスクを回転駆動し（＃３）、複数個所で光ピックアップ１４よりレーザ光を発光パワーを変えながら照射して、その反射光を受光し電気信号に変換し、反射レベルを算出し(＃４)、後述する図５に示す処理を実行して、光ディスクの種類を判別する（＃５）。この反射レベルの算出（＃４）及び光ディスクの判別（＃５）は、制御部９又は制御部１６によってなされる。
【００２４】
光ディスクが判別されると、その判別結果に基いてサーボ信号の調整時に用いる最終目標値が変更され（＃６）、この目標値に合わせてサーボ信号が調整される（＃７）。ここで、調整を行うサーボ信号とは、例えば、フォーカスエラー信号、フォーカスゲイン信号、トラッキングエラー信号、トラッキングゲイン信号、ＲＦゲイン信号、ウォブル信号等である。これらのサーボ信号がエラー信号が飽和しないレベルに調整されることにより、コントロールデータが正常に読み取り可能となる（＃８）。コントロールデータは、ディスク最内周のコントロールデータゾーンに形成されているピットを読み取ることで取得される。このコントロールデータを記録するためのピットは、光ディスクの製造時に通常、アルミニウムのエンボスにより形成されるので、サーボ信号が正常に調整されていれば、未記録のＤＶＤ−Ｒ及びＤＶＤ−ＲＷでも正常に読み取ることができる。こうして、コントロールデータの取得に成功すると（＃９においてＹＥＳ）、コントロールデータに含まれる光ディスク種類に関する判別コードに基いて、＃５における光ディスクの判別結果が確認される。光ディスクの表面に汚れや傷が生じている場合には、＃５における判別のみでは正確に判別できない虞がある。そこで、判別コードに基く判別も併用して、光ディスクの種類を確認するようにしている。そして、＃５における反射レベルに基く判別結果と、＃８，９におけるコントロールデータに含まれる判別コードに基く判別結果が一致すると、光ディスクの判別が成功したと判断して（＃１０においてＹＥＳ）、処理を終了する。両者が一致せず、光ディスクの判別が失敗したと判断すると（＃１０においてＮＯ）、＃４に戻って再度反射レベルを算出する。また、上述したように、コントロールデータを記録するためののピットは、アルミニウムのエンボスで形成されているので、反射率が高く、＃７におけるサーボ信号の調整如何によってはピットが正常に読めないことがある（＃８においてＮＯ）。このように、コントロールデータの取得に失敗した場合も、＃４に戻って再度反射レベルを算出することになる。なお、装填された光ディスクがＤＶＤ−Ｒ（未記録）又はＤＶＤ−ＲＷ（未記録）であるときは、ＯＰＣ（Optimum Power Control）時にＲＦ信号を読めるレベルにパワー調整するため、書き込みに失敗しなければ基本的に問題なく読み出せるレベルになっている。
【００２５】
次に、光ディスクの判別処理について、図５を参照して説明する。上記＃４において算出された反射レベルのばらつきが所定の閾値(第１の閾値)より小さいとき(＃１１において小)、装填された光ディスクにはピットが形成されていないものと判断して、＃１２に移行する。また、反射レベルのばらつきが所定の閾値(第２の閾値)より大きいとき(＃１１において大)、＃１８に移行する。さらに、反射レベルのばらつきが第１の閾値以上で第２の閾値以下であるとき(＃１１において中)、＃１５に移行する。＃１２、＃１５、＃１８においては、後述するように、反射レベルが各ステップにおいて定められた閾値と比較される。
【００２６】
まず、＃１２において、反射レベルが所定の閾値(第３の閾値)より大きいときは(＃１２において大)、光ディスクレコーダは、装填された光ディスクが（５）ＤＶＤ-Ｒ(未記録)であると判定し（＃１３）、反射レベルが所定の閾値(第３の閾値)以下のときは(＃１２において小)、光ディスクレコーダは、装填された光ディスクが（３）ＤＶＤ−ＲＷ(未記録)であると判定する(＃１４)。
【００２７】
また、＃１５において、反射レベルが所定の閾値(第４の閾値)より大きいときは(＃１５において大)、光ディスクレコーダは、装填された光ディスクが（６）ＤＶＤ−Ｒ(既記録)であると判定し(＃１６)、反射レベルが第４の閾値以下のときは(＃１５において小)、光ディスクレコーダは、装填された光ディスクが（４）ＤＶＤ−ＲＷ（既記録）であると判定する(＃１７)。
【００２８】
また、＃１８において、反射レベルが所定の閾値(第５の閾値)より大きいときは(＃１８において大)、光ディスクレコーダは、装填された光ディスクが（２）ＤＶＤ−ＲＯＭ(単層)であると判定し（＃１９）、反射レベルが第５の閾値以下のときは(＃１８において小)、光ディスクレコーダは、装填された光ディスクが（１）ＤＶＤ−ＲＯＭ(２層)であると判定する(＃２０)。なお、上記第１の閾値乃至第５の閾値は、各種の光ディスクにレーザ光を照射してその反射レベルのばらつきやレベルを算出することにより、各光ディスクを判定できるように適宜設定すればよい。
【００２９】
本実施形態の光ディスクレコーダでは、上述した反射レベルのばらつき及び反射レベルの大きさによって光ディスクの種類を判別する際に、レーザ光の発光強度の変化に対する反射レベルの変化の傾向を調査し、その結果から光ディスクの種類を確認するようにしている。すなわち、発光パワーに依存することなく反射レベルが略一定の場合、装填された光ディスクは、（５）ＤＶＤ−Ｒ(未記録)であり、発光パワーを大きくすると、反射レベルが低下する場合、装填された光ディスクは、（６）ＤＶＤ−Ｒ(既記録)であり、発光パワーを大きくすると、反射レベルも増加する場合、装填された光ディスクは、（１）ＤＶＤ−ＲＯＭ(２層)、（２）ＤＶＤ−ＲＯＭ(単層)、（３）ＤＶＤ-ＲＷ(未記録)及び（４）ＤＶＤ−ＲＷ(既記録)のうちのいずれかであると判別される。さらに、反射レベルが増加する傾向が顕著である場合には、装填された光ディスクは、（２）ＤＶＤ−ＲＯＭ(単層)であると判別される。
【００３０】
以上のように、本実施形態の光ディスクレコーダによれば、光ディスクの記録面における反射レベルのばらつき、反射レベルの大きさ、から光ディスクの種類及び既記録ディスクであるか又は未記録ディスクであるかを判別するので、互いに反射レベルが近似する光ディスクであってもその種類等を正確に判別することができる。また、レーザ光の発光強度の変化に対する反射レベルの変化の傾向を調査し、この結果に基いて光ディスクの種類等を確認するようにしているので、上記光ディスクの種類等の判別をより正確なものとすることができる。また、ウォブル信号等を検出するためにディスクの回転数を制御する必要がないので、光ディスクの種類等を迅速に判別することができ、ユーザが光ディスクを装填した後、録再生動作が可能になるまでの待ち時間を短縮することができる。
【００３１】
また、サーボ信号を調整する前に、光ディスクの記録面における反射レベルのばらつきから装填された光ディスクの種類及び既記録ディスクであるか未記録ディスクであるかを判別するので、サーボ信号の調整目標値をエラー信号が飽和しないレベルに変更することができる。これにより、コントロールデータ等の取得に失敗（＃９においてＮＯに相当）する確率を大幅に低下させることができ、光ディスクの判別結果が確定するまでの時間を短縮することができる。また、ＲＦ信号を用いることなく装填された光ディスクの種類等を判別するので、光ディスクの判別に必要な時間を短縮することができる。
【００３２】
なお、本発明は上記実施形態の構成に限られることなく種々の変形が可能である。例えば、種類等の判別を行うディスクは、上述した６種類の光ディスクに限られることなく、ＤＶＤ＋ＲＷは勿論のこと、各種のＣＤ(Compact Disk)や次世代の光ディスク等にも広く適用可能である。
【図面の簡単な説明】
【００３３】
【図１】本発明の一実施形態による光ディスクレコーダのブロック図。
【図２】各種の光ディスクにレーザ光を発光パワーを変化させて照射したときの反射レベルの分布を示した図。
【図３】各種の光ディスクの反射レベルの標準偏差とばらつき評価を示した図。
【図４】光ディスクが装填されたときの同レコーダの動作を示すフローチャート。
【図５】光ディスクの種類を判別するときの同レコーダの動作を示すフローチャート。
【符号の説明】
【００３４】
３    チューナ
５    エンコーダ
６    バッファ
９    制御部
１３    スピンドルモータ
１４    光ピックアップ
１６    制御部
【図１】
2005302083.tif 000003
【図２】
2005302083.tif 000004
【図３】
2005302083.tif 000005
【図４】
2005302083.tif 000006
【図５】
2005302083.tif 000007